(57)【要約】【課題】縄跳びの初心者でも跳び縄をコントロールしやすい、具体的には、縄跳びの初心者でも安定して縄を回旋させられる跳び縄を提供する。【解決手段】本発明の跳び縄１００は、縄１と、グリップ２と備えている。グリップ２は縄のそれぞれの端に接続されている。縄１は、長さが３５０ｃｍ以下であり、グリップ２は、長さが２５ｃｍ以上で構成されている。これにより、一人で縄跳びを実施する初心者が安定して縄１を回旋させられることができ、跳び縄１００をコントロールしやすくさせることが可能になる。【選択図】図１
2019208921.tif 000002
【特許請求の範囲】
【請求項１】
縄と、
前記縄の両端に接続されたグリップとを備える跳び縄において、
前記縄の長さが３５０ｃｍ以下であり、
前記グリップの長さが２５ｃｍ以上である、跳び縄。
【請求項２】
前記グリップの２つの端部のうち、前記縄と接続されていない側に位置する第１の端部の断面が略三角形で形成されている、請求項１に記載の跳び縄。
【請求項３】
前記グリップの２つの端部のうち、前記縄と接続されている側に位置する第２の端部の断面が略円形で形成されている、請求項１または請求項２に記載の跳び縄。
【請求項４】
前記グリップが、第１の端部から第２の端部の方向にかけて、テーパーをつけた形状で形成されている、請求項１〜３のいずれか１項に記載の跳び縄。
【請求項５】
前記縄の両端に接続されたグリップの長さの和が跳び縄の全長の１５％以上となるように形成されている、請求項１に記載の跳び縄。
【発明の詳細な説明】
【技術分野】
【０００１】
本発明は、跳び縄に関するものであり、特に跳び縄用グリップに関するものである。
【背景技術】
【０００２】
従来、一人で実施する縄跳びに使用する跳び縄は、１本の縄とその縄の両端にグリップが取り付けられている。跳び縄の使用者は、グリップを把持し、縄を前後に回旋させながら、縄に触れないように上下に跳ぶ運動をおこなう。
【０００３】
しかし、跳び縄の縄は長くて柔らかい材料を採用していることが多く、縄の長さや柔らかさをコントロールさせながら回旋させる行為は、縄跳びの初心者にとって非常に困難であった。そのため、以前より跳び縄の回旋を容易に実施できる発明が存在している。例えば、特許文献１には、回旋する縄がアーチ状に容易になることを目的として、グリップと縄とそれらを結ぶ連結部分とを備えたとびなわが開示されている。
【先行技術文献】
【特許文献】
【０００４】
【特許文献１】特開２０１２−１７０８０５号公報
【発明の概要】
【発明が解決しようとする課題】
【０００５】
しかしながら、上記特許文献１のとびなわでは、縄の回旋の軸が、グリップと連結部分との接点と、連結部分と縄の接点の２か所となり、幼児などの縄跳びの初心者が跳び縄をコントロールしにくい構造であるという問題点があった。
【０００６】
本発明は上記課題を解決するためになされたものであり、縄跳びの初心者でも跳び縄をコントロールしやすい、具体的には、縄跳びの初心者でも安定して縄を回旋させられる跳び縄を提供することを目的とする。
【課題を解決するための手段】
【０００７】
上記課題を解決するために、本発明の跳び縄は、縄と、グリップと備えている。グリップは縄のそれぞれの端に接続されている。縄は、長さが３５０ｃｍ以下であり、グリップは、長さが２５ｃｍ以上で構成されている。
【０００８】
この跳び縄では、グリップの長さが２５ｃｍ以上で構成されているため、一人で縄跳びを実施する初心者が、少ない腕の振りで縄をコントロールすることができる。これにより、一人で縄跳びを実施する初心者が安定して縄を回旋させられることができ、跳び縄をコントロールしやすくさせることが可能になる。
【０００９】
また、上記跳び縄において、好ましくは、グリップの２つの端部のうち、縄と接続されていない側に位置する第１の端部の断面が略三角形で形成されている。この跳び縄では、グリップの第１の端部および第１の端部から第２の端部の方向に向けて９ｃｍまでの位置における断面が略三角形で形成されるため、使用者がグリップを適切な位置で把持するように誘導することができ、より跳び縄をコントロールしやすくさせる。
【００１０】
さらに、上記跳び縄において、好ましくは、グリップの２つの端部のうち、縄と接続されている側に位置する第２の端部の断面が略円形で形成されている。この跳び縄では、縄の断面形状が略円形であることから、グリップの第２の端部が略円形で形成されていることにより、縄とグリップの接続部において、縄とグリップの摩擦が起きにくくなり、よりスムーズに縄を回旋させられることができる。
【００１１】
さらに、上記跳び縄において、好ましくは、グリップが、グリップの第１の端部から第２の端部にかけてテーパーをつけた形状で形成されている。この跳び縄では、使用者がグリップを把持する位置を柔軟に設定することができる。
【００１２】
また、上記跳び縄において、好ましくは、縄の両端に接続されたグリップの長さの和が跳び縄の全長の１５％以上となるように形成されている。この跳び縄では、使用者が跳び縄を跳ぶために必要な縄の長さを担保することができる。
【発明の効果】
【００１３】
以上に説明の通り、本発明の跳び縄は、縄跳びの初心者でもコントロールしやすい、具体的には、安定して縄を回旋させられる跳び縄を提供することを可能とした。
【図面の簡単な説明】
【００１４】
【図１】本発明の実施の形態１による跳び縄を示した正面図である。
【図２】図１の跳び縄を直線状にした際の模式図である。
【図３】図１の跳び縄を使用して縄跳びを行っている状態を示した模式図である。
【図４】本発明の実施の形態２による跳び縄のグリップの斜視図である。
【図５】図４の跳び縄のグリップのＡ−Ａ断面図である。
【図６】図４の跳び縄のグリップのＢ−Ｂ断面図である。
【図７】本発明の実施の形態３による跳び縄のグリップの正面図である。
【発明を実施するための形態】
【００１５】
（実施の形態１）
図１〜図３を参照して、本発明の実施の形態１による跳び縄１００の構造を説明する。なお、跳び縄１００は、本発明の跳び縄の一例である。
【００１６】
図１〜図３に示すように、跳び縄１００は、縄１と、縄１のそれぞれの両端に接続されたグリップ２とを備えている。グリップ２は、縄１とグリップ２が接続されていない第１の端部２１と、縄１とグリップ２が接続されている第２の端部２２とを備えている。
【００１７】
縄１は、ポリ塩化ビニル・スチレン系エラストマー、熱可塑性ポリウレタン、綿、天然ゴムなどの材料が用いられる。より好ましくは、縄１は、ポリ塩化ビニル・スチレン系エラストマー・熱可塑性ポリウレタンが用いられる。縄１にポリ塩化ビニル・スチレン系エラストマー・熱可塑性ポリウレタンが用いられると縄１の径を細く形成することができる。そのため、使用時に縄１の空気抵抗を抑えることができるので、縄跳びの初心者でも縄１をコントロールしやすい。また、縄１の長Ｌ１は３５０ｃｍ以下である。一人用の跳び縄は縄１の長さＬ１は３５０ｃｍ以下で市販されており、使用者の身長や身体的特徴を鑑みて縄１の長さＬ１を調整することが可能である。
【００１８】
グリップ２は、ポリエチレン樹脂・ポリプロピレン樹脂・ポリエチレンテレフタレート樹脂・ポリ塩化ビニル樹脂・ポリスチレン樹脂・アクリロニトリルブタジエンスチレン・ポリアミド樹脂・ポリカーボネート樹脂・メタクリル樹脂・木材・金属類などの材料で作られている。より好ましくは、グリップ２は、ポリエチレン樹脂あるいはポリプロピレン樹脂で作られている。グリップ２がポリエチレン樹脂あるいはポリプロピレン樹脂で作られていると、グリップ２が丈夫かつ軽量に作ることができるので、縄跳びの初心者でも縄１をコントロールしやすい。また、グリップ２の長さＬ２は、２５ｃｍ以上が好ましい。図３の記載のように、グリップ２の長さＬ２が２５ｃｍ以上であると、グリップ２の第１の端部２１の高さが使用者の頭頂部の高さ付近まで到達するため、少ない腕の振りで縄１をコントロールすることができる。また、好ましくは、グリップ２の長さＬ２は４０ｃｍ以下である。グリップの長さＬ２が４０ｃｍ以上であると、グリップ２を把持した手と縄１が離れすぎるため、縄１が相対的に重量感を感じ、縄１をコントロールしにくくなる。
【００１９】
跳び縄１００の全長Ｌｔとグリップ２の長さＬ２を比較した際、グリップ２の長さＬ２の２つの和は跳び縄１００の全長Ｌｔの１５％以上であることが好ましい。１５％以下であれば、跳び縄１００における縄１の長さＬ１が相対的に長くなりすぎるため、縄１をコントロールしにくくなる。また、グリップ２の長さＬ２の２つの和は跳び縄１００の全長Ｌｔの３５％以下であることが好ましい。３５％以上であれば、跳び縄１００における縄１の長さＬ１が相対的に短くなりすぎるため、縄１をコントロールしにくくなる。
【００２０】
縄１とグリップ２は、様々な方法で接続されている。例えば、グリップ２の第２の端部２２付近に回転子を設けても良く、かしめのような固定部材を設けても良い。また、グリップ２は第２の端部２２から第１の端部２１に向かって、一部もしくは全体が中空構造であっても良い。本来、縄１の長さＬ１は、使用者の身長や腕の長さなどの身体的特徴に応じて適宜調整可能であることが好ましい。グリップ２が中空構造であれば、縄１の一部をグリップ２の中空部分に収納することができ、縄１の長さＬ１を調整可能とすることができる。
【００２１】
（実施の形態２）
次に、図４〜図６を参照して、本発明の実施の形態２による跳び縄１０１の構造の説明をする。本実施の形態２による跳び縄１０１は、実施の形態１による跳び縄１００において、グリップ２の断面形状に特徴を持たせたものである。なお、実施の形態１による跳び縄１００と同じ構成要件については同一の符号を付し、その説明を省略する。
【００２２】
図４および図５に示すように、グリップ４の第１の端部４１は、その端面が略三角形である。さらに、使用者が縄跳び１０１を実施する際に把持すると想定されるグリップ４の第１の端部４１の端面から第２の端部４２の方向に向かって９ｃｍまでの位置における断面の形状は略三角形が好ましい。縄跳びの初心者が多い５〜７歳の手幅の平均は約７ｃｍであるため、グリップ４の第１の端部４１の端面から第２の端部４２の方向に向かって９ｃｍまでの位置における断面の形状が略三角形であると、使用者がグリップ４を把持する際、使用者の手幅を覆うことが可能となる。そのため、使用者がグリップを適切な位置で把持するように誘導することができ、使用者は跳び縄をよりコントロールしやすくさせることができる。
【００２３】
図４および図６に示すように、グリップ４の第２の端部４２は、その端面が略円形である。さらに、グリップ４の第２の端部４２の端面から第１の端部４１の方向に向かって５ｃｍまでの位置における断面の形状は略円形が好ましい。グリップ４の第２の端部４２の端面から第１の端部４１の方向に向かって５ｃｍまでの位置における断面の形状が略円形であると、使用者が実施している際にグリップ４の第２の端部４２と縄１の摩擦が起きにくくなり、よりスムーズに縄を回旋させられることができる。以上のように構成されるグリップ４の材料および長さは、上述した実施の形態１と同様とすればよい。
【００２４】
（実施の形態３）
次に、図７を参照して、本発明の実施の形態３による跳び縄１０２の構造の説明をする。実施の形態３による跳び縄１０２は、実施の形態２による跳び縄１０１において、グリップ４の外形上に特徴を持たせたものである。なお、実施の形態１による跳び縄１００と同じ構成要件については同一の符号を付し、その説明を省略する。
【００２５】
グリップ７は、第１の端部７１から第２の端部７２にかけてテーパーをつけた形状で形成されることが好ましい。さらに好ましくは、かかるテーパー処理は、第１の端部７１の端面から第２の端部７２に向けて３／１０の位置Ｐ以降で施されることが好ましい。グリップ７にテーパー処理が施されていると、縄跳びの上達具合によって把持位置を調整することが可能となる。具体的には、縄跳びの初心者には、第１の端部７１に近い位置で把持することにより、跳び縄１０２はコントロールしやすさを提供することができる。また、縄跳びが上達した使用者には、把持する位置を第２の端部７２に近づけることで、跳び縄１０２でも縄の回転速度を上げて跳ぶことが可能となる環境を提供することができる。
【００２６】
また、グリップ７の第１の端部７１にはグリップエンド部７３が設けられている。さらに、グリップ７の第１の端部７１から第２の端部７２に向けて３／１０の位置Ｐ以降に複数の突起部７４が設けられている。グリップエンド部２３および突起部７４は、使用者がグリップを把持する際の滑り止めの役目を果たすことができる。
【００２７】
（効果検証実験）
次に、本発明による跳び縄を使用した際の効果について、実施例および比較例にて検証する。
【００２８】
実施例による跳び縄は、上記実施の形態１で説明したように、縄と、グリップと備えた跳び縄であって、グリップは縄のそれぞれの端に接続されており、縄の長さが１８０ｃｍであり、グリップの長さがそれぞれ３０ｃｍで構成されている。
【００２９】
比較例による跳び縄は、縄と、グリップと備えた跳び縄であって、グリップは縄のそれぞれの端に接続されており、縄の長さが１８０ｃｍであり、グリップの長さがそれぞれ１４ｃｍで構成されている。
【００３０】
実験は、縄跳びの経験が１０回以下である５歳〜７歳の計７名の被験者Ａ〜Ｇに対して、実施例による跳び縄・比較例による跳び縄において、前回し跳びをそれぞれ５回跳躍成功するまで実施させた。前回し跳びとは、跳び縄を背後から頭上に持ち上げた後、身体の前方を通して足元を通過させる際に上下に跳び越す運動のことを指している。
【００３１】
実験の際、被験者の手首にセイコーエプソン社製の慣性センサーＭ−Ｔｒａｃｅｒを設置し，縄跳びを実施する際の後方から前方への腕の角速度（以下、「速度」という。）を測定した。
【００３２】
【表１】
2019208921.tif 000003
(単位:deg/sec)
【００３３】
表１は測定結果を示している。表１によると、どの被験者も比較例の跳び縄に比べて実施例の跳び縄を使用した方が、速度は下がっていることがわかった。この結果より、比較例の跳び縄に比べて実施例の跳び縄を使用した方が、手を後ろから前に回して，跳び縄を後ろから前にもってくる際の腕の振りが小さくなっていることがわかる。ゆえに、実施例の跳び縄を使用した方が腕の振りが小さくなるので、安定して回旋させることができることがわかった。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【符号の説明】
【００３５】
１  縄
２  ４  ７  グリップ
１００  １０１  １０２  跳び縄
【図１】
2019208921.tif 000004
【図２】
2019208921.tif 000005
【図３】
2019208921.tif 000006
【図４】
2019208921.tif 000007
【図５】
2019208921.tif 000008
【図６】
2019208921.tif 000009
【図７】
2019208921.tif 000010